(57)【要約】【課題】携帯端末装置の充電頻度を下げることができる。【解決手段】携帯端末装置の電池残量を受信する通信部と、通信部が受信した電池残量と、携帯端末装置が充電すべき電池残量である第１閾値と、電池残量を第１閾値以上にすべき携帯端末装置の数である第２閾値とに応じて、携帯端末装置の充電を許可する処理部と、を有する。【選択図】図７
2016163516.tif 000002
【特許請求の範囲】
【請求項１】
携帯端末装置の電池残量を受信する通信部と、
前記通信部が受信した前記電池残量と、前記携帯端末装置が充電すべき電池残量である第１閾値と、電池残量を前記第１閾値以上にすべき前記携帯端末装置の数である第２閾値とに応じて、前記携帯端末装置の充電を許可する処理部と、を有する、
情報処理装置。
【請求項２】
請求項１において、
前記処理部は、電池残量が前記第１閾値以上である前記携帯端末装置の数が、前記第２閾値未満である場合、電池残量が前記第１閾値以上である前記携帯端末装置の数が、前記第２閾値以上になるように、前記携帯端末装置の充電を許可する、
情報処理装置。
【請求項３】
請求項１において、
前記処理部は、前記携帯端末装置の貸出を要求する貸出要求が発生した場合に、前記通信部が受信した前記電池残量から算出した前記携帯端末装置を利用することができる利用可能時間が、前記貸出要求に含まれる前記携帯端末装置の貸出を要求する貸出要求時間よりも長い前記携帯端末装置の貸出を許可する、
情報処理装置。
【請求項４】
携帯端末装置が、自装置の電池残量を情報処理装置に送信し、
前記情報処理装置が、前記携帯端末装置から受信した前記電池残量と、前記携帯端末装置が充電すべき電池残量である第１閾値と、電池残量を前記第１閾値以上にすべき前記携帯端末装置の数である第２閾値とに応じて、前記携帯端末装置の充電を許可する充電許可情報を前記携帯端末装置に送信し、
前記携帯端末装置が、前記情報処理装置から前記充電許可情報を受信すると、自装置の充電を開始する、
充電制御方法。
【請求項５】
自装置の電池残量を情報処理装置に送信する通信部と、
前記情報処理装置から充電を許可する充電許可情報を受信すると、自装置の充電を開始する処理部と、を有する、
携帯端末装置。
【発明の詳細な説明】
【技術分野】
【０００１】
本発明は、情報処理装置、充電制御方法及び携帯端末装置に関する。
【背景技術】
【０００２】
例えば、利用者にサービスを提供する事業者（以下、単に事業者とも呼ぶ）は、サービスの提供を効率的に行う等の目的で、サービスを受ける利用者（以下、単に利用者とも呼ぶ）に携帯端末装置を貸し出す場合がある。この携帯端末装置は、例えば、携帯電話機、スマートフォン（Ｓｍａｒｔｐｈｏｎｅ）、または、タブレット端末装置である。
【０００３】
この場合において、事業者は、用途に応じた台数の携帯端末装置と、携帯端末装置を格納して充電するための充電ステーション（以下、充電装置とも呼ぶ）とを用意する。そして、利用者は、充電ステーションから携帯端末装置を借り受けて携帯端末装置を利用し、その後、借り受けた携帯端末装置を充電ステーションに返却する（例えば、特許文献１及び２参照）。
【先行技術文献】
【特許文献】
【０００４】
【特許文献１】特開平０７−３３４７３７号公報
【特許文献２】特開２００３−１３１７５７号公報
【発明の概要】
【発明が解決しようとする課題】
【０００５】
上記のように携帯端末装置が充電ステーションに返却された場合、充電ステーションは、返却された携帯端末装置の充電を開始する。しかしながら、携帯端末装置が返却される毎に携帯端末装置の充電を行う場合、充電ステーションは、利用者が利用していた時間（以下、貸出時間とも呼ぶ）がわずかであった場合においても、携帯端末装置の充電を行う。そのため、この場合、携帯端末装置の充電頻度が高くなり、携帯端末装置のバッテリーの寿命が短くなる原因となる可能性がある。
【０００６】
そこで、一つの実施の形態の目的は、携帯端末装置の充電頻度を下げることができる情報処理装置、充電制御方法及び携帯端末装置を提供することにある。
【課題を解決するための手段】
【０００７】
実施の形態の一つの側面によれば、携帯端末装置の電池残量を受信する通信部と、
前記通信部が受信した前記電池残量と、前記携帯端末装置が充電すべき電池残量である第１閾値と、電池残量を前記第１閾値以上にすべき前記携帯端末装置の数である第２閾値とに応じて、前記携帯端末装置の充電を許可する処理部と、を有する。
【発明の効果】
【０００８】
一つの側面によれば、携帯端末装置の充電頻度を下げることができる。
【図面の簡単な説明】
【０００９】
【図１】図１は、情報処理システム１００の全体構成を示す図である。
【図２】図２は、携帯端末装置３ｅの返却時の処理を説明する図である。
【図３】図３は、管理サーバ１のハードウエア構成を示す図である。
【図４】図４は、携帯端末装置３のハードウエア構成を示す図である。
【図５】図５は、図３の管理サーバ１の機能ブロック図である。
【図６】図６は、図４の携帯端末装置３の機能ブロック図である。
【図７】図７は、第１の実施の形態における充電制御処理の概略を説明するシーケンスチャート図である。
【図８】図８は、第１の実施の形態における電池残量集計処理を説明するフローチャート図である。
【図９】図９は、第１の実施の形態における電池残量集計処理を説明するフローチャート図である。
【図１０】図１０は、第１の実施の形態における充電許可処理を説明するフローチャート図である。
【図１１】図１１は、第１の実施の形態における充電許可処理を説明するフローチャート図である。
【図１２】図１２は、第１の実施の形態における充電許可処理を説明するフローチャート図である。
【図１３】図１３は、第１の実施の形態における充電許可処理を説明するフローチャート図である。
【図１４】図１４は、第１の実施の形態における返却制御処理を説明するシーケンスチャート図である。
【図１５】図１５は、第１の実施の形態における返却制御処理を説明するフローチャート図である。
【図１６】図１６は、第１の実施の形態における返却制御処理を説明するフローチャート図である。
【図１７】図１７は、第１の実施の形態における返却制御処理を説明するフローチャート図である。
【図１８】図１８は、第１の実施の形態における貸出制御処理を説明するシーケンスチャート図である。
【図１９】図１９は、第１の実施の形態における貸出制御処理を説明するフローチャート図である。
【図２０】図２０は、第１の実施の形態における貸出制御処理を説明するフローチャート図である。
【図２１】図２１は、第１の実施の形態における貸出制御処理を説明するフローチャート図である。
【図２２】図２２は、第１の実施の形態における貸出制御処理を説明するフローチャート図である。
【図２３】図２３は、第１の実施の形態における端末情報１３４の具体例を説明する図である。
【図２４】図２４は、第１の実施の形態における端末情報１３４の具体例を説明する図である。
【図２５】図２５は、第１の実施の形態における端末情報１３４の具体例を説明する図である。
【図２６】図２６は、第１の実施の形態における端末情報１３４の具体例を説明する図である。
【図２７】図２７は、第１の実施の形態における端末情報１３４の具体例を説明する図である。
【発明を実施するための形態】
【００１０】
［情報処理システムの構成］
図１は、情報処理システム１００の全体構成を示す図である。図１に示す情報処理システム１００は、管理サーバ１と、充電装置２と、複数の携帯端末装置３（以下、単に端末３とも呼ぶ）によって構成される。以下、図１の例においては、携帯端末装置３として、携帯端末装置３ａ、３ｂ、３ｃ、３ｄ及び３ｅが存在するものとして説明を行う。
【００１１】
図１の例において、管理サーバ１は、インターネット網等のネットワークＮＷを介して、アクセスポイントＡＰと有線通信を行う。アクセスポイントＡＰは、無線通信を行う携帯端末装置３をネットワークＮＷに接続させるための機器である。
【００１２】
そして、図１の例において、充電装置２及び各携帯端末装置３は、アクセスポイントＡＰと無線通信を行う。充電装置２及び各携帯端末装置３は、例えば、ＷｉＦｉ（登録商標：Ｗｉｒｅｌｅｓｓ  Ｆｉｄｅｌｉｔｙ）等の無線ＬＡＮ（Ｌｏｃａｌ  Ａｒｅａ  Ｎｅｔｗｏｒｋ）を利用することにより、無線通信を行う。これにより、図１の例における管理サーバ１は、アクセスポイントＡＰを介して、充電装置２及び各携帯端末装置３と通信を行うことが可能になる。
【００１３】
なお、充電装置２及び各携帯端末装置３は、ＬＴＥ（Ｌｏｎｇ  Ｔｅｒｍ  Ｅｖｏｌｕｔｉｏｎ）や３Ｇ（Ｔｈｉｒｄ  Ｇｅｎｅｒａｔｉｏｎ）等を利用し、移動体通信網（図示しない）を介してネットワークＮＷと無線通信を行うものであってもよい。
【００１４】
管理サーバ１は、充電装置２や携帯端末装置３から受信した情報に基づき、利用者に対する携帯端末装置３の貸出状況等を管理する。
【００１５】
充電装置２は、携帯端末装置３を格納し、格納された携帯端末装置３の充電を行う。携帯端末装置３の貸出を希望する利用者は、例えば、充電装置２に格納された携帯端末装置３を借り受ける。そして、携帯端末装置３の返却を希望する利用者は、例えば、充電装置２に携帯端末装置３を格納することにより返却を行う。
【００１６】
具体的に、充電装置２は、携帯端末装置３に充電を行う電源部２１と、利用者が情報を入力するための入力部２２と、アクセスポイントＡＰ等と無線通信を行うための通信部２３とを有している。また、充電装置２は、電源部２１と携帯端末装置３とを接続するための充電ケーブル２４と、携帯端末装置３を格納するための複数の棚２５を有している。
【００１７】
電源部２１は、例えば、商用電源（図示しない）から供給された電源を、携帯端末装置３の充電を行うための電源電圧に変換する。そして、電源部２１は、携帯端末装置３と充電ケーブル２４とが接続された場合に、接続された携帯端末装置３の充電を開始する。また、電源部２１は、携帯端末装置３と充電ケーブル２４との接続が解除された場合に、接続が解除された携帯端末装置３の充電を中止する。図１の例においては、携帯端末装置３ａ、３ｂ、３ｃ及び３ｄの充電が行われている状態であり、携帯端末装置３ｅが利用者に貸し出されている状態（充電が行われていない状態）である。
【００１８】
入力部２２は、例えば、タッチパネルであり、利用者が携帯端末装置３の貸出を要求する場合に用いる貸出要求ボタンと、利用者が携帯端末装置３を返却する場合に用いる返却ボタンとを表示する。そして、利用者は、携帯端末装置３の貸出を要求する場合に、貸出要求ボタンをタッチすることにより、管理サーバ１に対して携帯端末装置３の貸出要求を行う。また、利用者は、携帯端末装置３の返却を行う場合に、返却ボタンをタッチすることにより、携帯端末装置３の返却を行う。
【００１９】
なお、入力部２２は、利用者が貸出を要求する時間（以下、貸出要求時間とも呼ぶ）毎に、複数の貸出要求ボタン（例えば、それぞれ「１時間」、「２時間」または「４時間」と表示した複数の貸出要求ボタン）を有するものであってよい。そして、利用者は、携帯端末装置３の貸出を要求する場合に、貸出を要求する時間が表示された貸出要求ボタンをタッチするものであってよい。
【００２０】
通信部２３は、利用者が貸出要求ボタンをタッチした場合に、その旨を示す情報（以下、貸出要求情報とも呼ぶ）を管理サーバ１に送信する。また、通信部２３は、例えば、利用者が返却ボタンをタッチした場合に、その旨を示す情報（以下、返却情報とも呼ぶ）を管理サーバ１に送信する。これにより、管理サーバ１は、利用者に対する携帯端末装置３の貸出状況等を管理することが可能になる。
【００２１】
［携帯端末装置の充電］
図２は、携帯端末装置３ｅの返却時の処理を説明する図である。図２に示すように、携帯端末装置３ｅを借り受けていた利用者は、携帯端末装置３ｅと充電ケーブル２４とを接続することにより、携帯端末装置３ｅの返却を行う。
【００２２】
ここで、例えば、利用者が携帯端末装置３ｅを利用していた時間が短い場合、携帯端末装置３ｅは、返却時において充電を行うことなく、引き続き別の利用者に貸出を行うことが可能である場合がある。具体的に、例えば、利用者に携帯端末装置３を貸し出すために最低限必要な電池残量が７０％である場合であって、利用者から返却された携帯端末装置３の電池残量が８０％であった場合がこれに該当する。
【００２３】
そのため、携帯端末装置３が返却される毎に充電を行う場合、充電装置２は、必要以上に携帯端末装置３の充電を行うことになり、携帯端末装置３のバッテリーの寿命を短くする原因となる可能性がある。
【００２４】
そこで、本実施の形態の管理サーバ１は、各携帯端末装置３の電池残量を受信する。そして、管理サーバ１は、受信した電池残量と、携帯端末装置３が充電すべき電池残量である閾値（以下、第１閾値とも呼ぶ）と、電池残量を第１閾値以上にすべき携帯端末装置３の数である閾値（以下、第２閾値とも呼ぶ）とに応じて、携帯端末装置３の充電を許可する。これにより、事業者は、携帯端末装置３の充電頻度を抑えるように管理することが可能になる。
【００２５】
［管理サーバのハードウエア構成］
次に、管理サーバ１のハードウエア構成について説明する。図３は、管理サーバ１のハードウエア構成を示す図である。管理サーバ１は、プロセッサであるＣＰＵ１０１（以下、処理部１０１とも呼ぶ）と、ＲＡＭ（Ｒａｎｄｏｍ  Ａｃｃｅｓｓ  Ｍｅｍｏｒｙ）等のメモリ１０２とを有する。また、管理サーバ１は、ネットワークＮＷ及びアクセスポイントＡＰを介して充電装置２や携帯端末装置３とアクセスするための通信装置１０３（以下、通信部１０３とも呼ぶ）と、記憶領域を有するストレージ装置１０４とを有する。各部は、バス１０５を介して互いに接続される。
【００２６】
ストレージ装置１０４は、例えば、ストレージ装置１０４内のプログラム格納領域（図示しない）に、携帯端末装置３の充電を制御するためのプログラム１２０（以下、充電制御プログラム１２０とも呼ぶ）を記憶する。また、ストレージ装置１０４は、充電制御処理を行う際に用いられる情報を記憶する情報格納領域１３０を有する。なお、ストレージ装置１０４は、例えば、ハードディスクドライブ（ＨＤＤ：Ｈａｒｄ  Ｄｉｓｋ  Ｄｒｉｖｅ）や、ソリッドステートドライブ（ＳＳＤ：Ｓｏｌｉｄ  Ｓｔａｔｅ  Ｄｒｉｖｅ）等の大容量記憶装置である。
【００２７】
そして、ＣＰＵ１０１は、図３に示すように、プログラム１２０の実行時に、プログラム１２０をストレージ装置１０４からメモリ１０２にロードし、プログラム１２０と協働して充電制御処理を行う。
【００２８】
［携帯端末装置のハードウエア構成］
図４は、携帯端末装置３のハードウエア構成を示す図である。携帯端末装置３は、プロセッサであるＣＰＵ３０１と、ＲＡＭ等のメモリ３０２とを有する。また、携帯端末装置３は、アクセスポイントＡＰ及びネットワークＮＷを介して管理サーバ１とアクセスするための通信装置３０３（通信部３０３）と、記憶領域を有するストレージ装置３０４とを有する。
【００２９】
また、携帯端末装置３は、ＣＰＵ３０１による処理結果等に応じた出力を行う表示装置３０５と、利用者等が情報の入力を行うタッチパネル３０６とを有する。各部は、バス３０７を介して互いに接続される。
【００３０】
さらに、携帯端末装置３は、充電コネクタ３０８を介して充電装置２から供給された電源を制御する電源供給制御部３０９と、バッテリー３１０の充電を制御する充電制御部３１１とを有する。充電コネクタ３０８、電源供給制御部３０９、バッテリー３１０及び充電制御部３１１は、電源線３１２を介して互いに接続している。
【００３１】
電源供給制御部３０９は、充電装置２から供給された電源を、充電制御部３１１を介してバッテリー３１０に充電する。そして、電源供給制御部３０９は、充電装置２から供給された電源、またはバッテリー３１０に充電された電源を、電源線３１２を介して、ＣＰＵ３０１、メモリ３０２、通信装置３０３、ストレージ装置３０４、表示装置３０５及びタッチパネル３０６に供給する。また、電源供給制御部３０９は、例えば、バッテリー３１０の電池残量を監視するものであってもよい。
【００３２】
ストレージ装置３０４は、例えば、ストレージ装置３０４内のプログラム格納領域（図示しない）に、バッテリー３１０の電池残量を送信する処理等を行うためのプログラム３２０を記憶する。また、ストレージ装置３０４は、充電制御処理を行う際に用いられる情報を記憶する情報格納領域３３０を有する。なお、ストレージ装置３０４は、例えば、ＨＤＤやＳＳＤ等の大容量記憶装置である。
【００３３】
そして、ＣＰＵ３０１は、図４に示すように、プログラム３２０の実行時に、プログラム３２０をストレージ装置３０４からメモリ３０２にロードし、プログラム３２０と協働して充電制御処理を行う。
【００３４】
［情報処理システムの機能］
図５は、図３の管理サーバ１の機能ブロック図である。また、図６は、図４の携帯端末装置３の機能ブロック図である。
【００３５】
管理サーバ１のＣＰＵ１０１は、プログラム１２０と協働することにより、図５に示すように、情報受信部１２１と、充電端末決定部１２２と、貸出端末決定部１２３と、端末情報管理部１２４と、情報送信部１２５として動作する。また、情報格納領域１３０には、例えば、電池残量１３１と、第１閾値１３２と、第２閾値１３３と、端末情報１３４とが記憶されている。
【００３６】
また、携帯端末装置３のＣＰＵ３０１は、プログラム３２０と協働することにより、図６に示すように、情報受信部３２１と、フラグ制御部３２２と、表示制御部３２３と、タッチパネル制御部３２４として動作する。さらに、携帯端末装置３のＣＰＵ３０１は、充電制御プログラム３２０と協働することにより、図６に示すように、バッテリー監視部３２５と、情報送信部３２６として動作する。また、情報格納領域３３０には、例えば、充電フラグ３３１が記憶されている。
【００３７】
［管理サーバの機能］
初めに、管理サーバ１の機能について説明する。
【００３８】
管理サーバ１の情報受信部１２１は、通信装置１０３を介して、携帯端末装置３から各携帯端末装置３の電池残量１３１を受信する。そして、情報受信部１２１は、受信した電池残量１３１を情報格納領域１３０に記憶する。情報受信部１２１は、携帯端末装置３が貸出中であるか否かに依らず、全ての携帯端末装置３の電池残量１３１を受信する。また、情報受信部１２１は、充電装置２が送信した貸出要求情報及び返却情報を受信する。
【００３９】
管理サーバ１の充電端末決定部１２２は、情報格納領域１３０に記憶された電池残量１３１を取得する。そして、充電端末決定部１２２は、各携帯端末装置３が充電すべき電池残量１３１の閾値（以下、第１閾値１３２とも呼ぶ）と、電池残量１３１を第１閾値１３２以上にすべき携帯端末装置３の数の閾値（以下、第２閾値１３３とも呼ぶ）とを取得する。第１閾値１３２及び第２閾値１３３は、例えば、事業者によって予め決定され、情報格納領域１３０に記憶されるものであってよい。第１閾値１３２は、例えば、利用者による携帯端末装置３の利用目的に応じて決定されるものであってよい。また、第２閾値１３３は、例えば、同時に貸し出されることが予測される携帯端末装置３の数の最大値であってよい。
【００４０】
充電端末決定部１２２は、所定の時間毎（例えば、１分に１回）に、電池残量１３１と、第１閾値１３２と、第２閾値１３３とに応じて、携帯端末装置３の充電の許可を行う。充電端末決定部１２２の処理の詳細については後述する。
【００４１】
管理サーバ１の貸出端末決定部１２３は、情報受信部１２１（通信部１０３）が貸出要求情報を受信した場合に、貸出を行う携帯端末装置３を決定する。貸出端末決定部１２３の処理の詳細については後述する。
【００４２】
管理サーバ１の端末情報管理部１２４は、情報受信部１２１が受信した電池残量１３１等に基づき、携帯端末装置３の状況を管理する端末情報１３４の更新を行う。端末情報管理部１２４の処理及び端末情報１３４の詳細については後述する。
【００４３】
管理サーバ１の情報送信部１２５は、通信装置１０３を介して、携帯端末装置３の充電を許可するための充電許可情報と、携帯端末装置３の充電を制限するための充電制限情報とを携帯端末装置３に送信する。具体的に、情報送信部１２５は、充電端末決定部１２２が携帯端末装置３の充電を許可した場合、充電を許可した携帯端末装置３に充電許可情報を送信する。また、情報送信部１２５は、情報受信部１２１が返却情報を受信した場合、返却情報に対応する携帯端末装置３に充電制限情報を送信する。
【００４４】
また、情報送信部１２５は、貸出端末決定部１２３が利用者に貸し出す携帯端末装置３を決定した場合、決定した携帯端末装置３に対して貸出許可情報を送信する。
【００４５】
［携帯端末装置の機能］
次に、携帯端末装置３の機能について説明する。
【００４６】
携帯端末装置３の情報受信部３２１は、管理サーバ１が送信した充電許可情報及び充電制限情報を受信する。また、情報受信部３２１は、管理サーバ１が送信した貸出許可情報を受信する。
【００４７】
携帯端末装置３のフラグ制御部３２２は、情報受信部３２１が充電許可情報または充電制限情報を受信した場合に、充電フラグ３３１の更新を行う。具体的に、フラグ制御部３２２は、情報受信部３２１が充電許可情報を受信した場合、充電を許可する旨を示すように充電フラグ３３１を更新する。また、フラグ制御部３２２は、情報受信部３２１が充電制限情報を受信した場合、充電を制限する旨を示すように充電フラグ３３１を更新する。
【００４８】
そして、フラグ制御部３２２は、情報受信部３２１が充電許可情報を受信した場合、図４で説明した充電制御部３１１に、バッテリー３１０の充電開始の指示を行う。また、フラグ制御部３２２は、情報受信部３２１が充電制限情報を受信した場合、図４で説明した充電制御部３１１に、バッテリー３１０の充電中止の指示を行う。
【００４９】
なお、図４で説明した充電制御部３１１は、例えば、所定の時間毎（例えば、１０秒に１回）に充電フラグ３３１を参照し、充電フラグ３３１が充電を許可する旨を示す場合、自発的にバッテリー３１０の充電を開始するものであってもよい。また、充電制御部３１１は、充電フラグ３３１が充電を制限する旨を示す場合、自発的にバッテリー３１０の充電を中止するものであってもよい。
【００５０】
携帯端末装置３の表示制御部３２３は、情報受信部３２１が貸出許可情報を受信した場合、表示装置３０５を点滅させる。これにより、利用者は、貸出可能な携帯端末装置３が格納されている場所を特定することが可能になる。そして、表示制御部３２３は、自装置と充電ケーブル２４との接続が解除された場合、表示装置３０５の点滅を中止させる。
【００５１】
携帯端末装置３のタッチパネル制御部３２４は、自装置と充電ケーブル２４とが接続された場合、タッチパネル３０６の機能を中止する。また、タッチパネル制御部３２４は、情報受信部３２１が管理サーバ１から貸出許可情報を受信した場合、タッチパネル３０６の機能を開始する。これにより、事業者は、例えば、利用者が管理サーバ１の許可なく携帯端末装置３を持ち出した場合、持ち出された携帯端末装置３の利用を制限することが可能になる。
【００５２】
携帯端末装置３のバッテリー監視部３２５は、バッテリー３１０の電池残量が所定以上（例えば、充電可能容量の１％以上）増加または減少した場合に、これを検知する。具体的に、バッテリー監視部３２５は、例えば、所定の時間毎（例えば、１分に１回）に電源供給制御部３０９にアクセスし、バッテリー３１０の電池残量を取得することにより、バッテリー３１０の電池残量の増加または減少を検知するものであってよい。
【００５３】
携帯端末装置３の情報送信部３２６は、バッテリー３１０の電池残量の増加または減少を検知した場合に、バッテリー３１０の現在の電池残量を管理サーバ１に送信する。
【００５４】
［第１の実施の形態の概略］
次に、第１の実施の形態について説明する。図７は、第１の実施の形態における充電制御処理の概略を示すシーケンスチャート図である。なお、図７の例では、携帯端末装置３として、携帯端末装置３ａ、３ｂ及び３ｃが存在するものとして説明を行う。
【００５５】
初めに、管理サーバ１は、図７に示すように、第１閾値１３２及び第２閾値１３３を情報格納領域１３０に記憶する（Ｓ１）。第１閾値１３２及び第２閾値１３３は、例えば、事業者によって予め決定されるものである。
【００５６】
そして、携帯端末装置３ａ、３ｂ及び３ｃは、それぞれ自装置の電池残量１３１を管理サーバ１に送信する（Ｓ２）。携帯端末装置３ａ、３ｂ及び３ｃは、例えば、自装置の電池残量１３１が所定以上変化した場合に、電池残量１３１を送信する。
【００５７】
次に、管理サーバ１は、例えば、所定の時間毎（例えば、１分に１回）に、Ｓ１において記憶した第１閾値１３２及び第２閾値１３３と、Ｓ２において受信した電池残量１３１とに応じて、充電を許可する携帯端末装置３を決定する（Ｓ３）。
【００５８】
具体的に、管理サーバ１は、Ｓ２において受信した電池残量１３１に基づき、電池残量１３１が第１閾値１３２以上である携帯端末装置３の数が、第２閾値１３３以上であるか否かの判定を行う。そして、管理サーバ１は、電池残量１３１が第１閾値１３２以上である携帯端末装置３の数が第２閾値１３３以下である場合、電池残量１３１が第１閾値１３２以上である携帯端末装置３の数が第２閾値１３３以上になるように、携帯端末装置３の充電を許可する。
【００５９】
そして、管理サーバ１は、Ｓ３において決定した携帯端末装置３に、充電許可情報を送信する（Ｓ４）。具体的に、管理サーバ１が携帯端末装置３ａ、３ｂ及び３ｃのうち携帯端末装置３ａ及び３ｃの充電を許可すべきと決定した場合、管理サーバ１は、図７に示すように、携帯端末装置３ａ及び３ｃに充電許可情報を送信する。
【００６０】
すなわち、携帯端末装置３が返却されたことに応じて携帯端末装置３の充電を行う場合、充電装置２は、返却された携帯端末装置３の電池残量に依らず、返却された全ての携帯端末装置３について充電を行う。そのため、充電装置２は、返却時において電池残量が十分である携帯端末装置３についても充電を行うことになり、携帯端末装置３の充電頻度が上がる。
【００６１】
これに対し、本実施の形態の管理サーバ１は、携帯端末装置３から受信した電池残量１３１を受信する。そして、管理サーバ１は、予め定めた第１閾値１３２以上の電池残量１３１を有する携帯端末装置３の数が、予め定めた第２閾値１３３以下である場合に、携帯端末装置３の充電を許可する。これにより、管理サーバ１は、携帯端末装置３と充電ケーブル２４（電源）とが接続しただけでは、携帯端末装置３の充電が開始されないように制御することが可能になる。そのため、管理サーバ１は、返却された携帯端末装置３の充電が不要である場合には、充電を行わないという制御を行うことが可能になる。したがって、管理サーバ１は、携帯端末装置３の充電頻度を抑制することが可能になる。
【００６２】
このように、第１の実施の形態によれば、管理サーバ１は、携帯端末装置３の電池残量１３１を受信する通信部１０３を有する。また、管理サーバ１は、通信部１０３が受信した電池残量１３１と、第１閾値１３２と、第２閾値１３３とに応じて、携帯端末装置３の充電を許可する処理部１０１を有する。これにより、管理サーバ１は、携帯端末装置３の充電頻度を適切に管理することが可能になる。
【００６３】
［第１の実施の形態の詳細］
次に、第１の実施の形態の詳細について説明する。図８から図２２は、第１の実施の形態における充電制御処理の詳細を説明するフローチャート図である。また、図２３から図２７は、第１の実施の形態における充電制御処理の詳細を説明する図である。図２３から図２７を参照しながら、図８から図２２の充電制御処理の詳細を説明する。
【００６４】
[携帯端末装置における電池残量集計処理]
初めに、管理サーバ１が携帯端末装置３から送信された電池残量１３１を集計する処理（以下、電池残量集計処理とも呼ぶ）を説明する。図８及び図９は、第１の実施の形態における電池残量集計処理を説明するフローチャート図である。なお、この電池残量集計処理は、図７で説明したＳ２の処理に対応する。
【００６５】
携帯端末装置３のバッテリー監視部３２５は、図８に示すように、バッテリー３１０の電池残量１３１が所定以上変化するまで（例えば、バッテリー３１０の充電可能容量の１％以上変化するまで）待機する（Ｓ１１のＮＯ）。
【００６６】
そして、バッテリー監視部３２５が、バッテリー３１０の電池残量１３１が所定以上変化したことを検知した場合（Ｓ１１のＹＥＳ）、携帯端末装置３の情報送信部３２６は、現在のバッテリー３１０の電池残量１３１を管理サーバ１に送信する（Ｓ１２）。これにより、管理サーバ１は、各携帯端末装置３の電池残量１３１の管理を行うことが可能になる。
【００６７】
なお、情報送信部３２６は、バッテリー監視部３２５がバッテリー３１０の電池残量１３１の変化を検出した場合だけでなく、所定時間毎（例えば、１分に１回）に、バッテリー３１０の電池残量１３１を管理サーバ１に送信するものであってもよい。
【００６８】
[管理サーバにおける電池残量集計処理]
次に、管理サーバ１における電池残量集計処理について説明する。
【００６９】
管理サーバ１の情報受信部１２１は、図９に示すように、携帯端末装置３から電池残量１３１を受信するまで待機する（Ｓ２１のＮＯ）。
【００７０】
そして、携帯端末装置３から電池残量１３１を受信した場合（Ｓ２１のＹＥＳ）、管理サーバ１の端末情報管理部１２４は、端末情報１３４を更新する（Ｓ２２）。以下、端末情報１３４の具体例を説明する。
【００７１】
[端末情報の具体例]
図２３は、端末情報１３４の具体例である。図２３に示す端末情報１３４は、携帯端末装置３を識別する「端末ＩＤ」と、携帯端末装置３が充電を行った回数を示す「充電回数」と、携帯端末装置３のバッテリー３１０の電池残量を示す「電池残量」とを有する。また、図２３に示す端末情報１３４は、携帯端末装置３に充電ケーブル２４が接続しているか否か（携帯端末装置３が貸出中であるか否か）を示す「充電器接続状態」と、携帯端末装置３の充電が許可されているか否かを示す「充電可否」とを有する。さらに、図２３に示す端末情報１３４は、携帯端末装置３が貸し出されている場合、携帯端末装置３が貸し出された日時を示す「貸出日時」と、携帯端末装置３が返却される予定の日時を示す「返却予定日時」とを有する。なお、端末情報１３４の「電池残量」は、バッテリー３１０の最大充電可能容量に対する現在の電池残量の割合（％）を示すものとする。
【００７２】
具体的に、図２３に示す端末情報１３４において、「端末ＩＤ」が「１」である情報には、「充電回数」として「２００」が設定され、「電池残量」として「７５」が設定され、「充電器接続状態」として「未接続」が設定されている。また、この情報には、「充電可否」として「制限」が設定され、「貸出日時」として「２０１４／９／１１  １４：１５」が設定され、「返却予定日時」として「２０１４／９／１１  １９：１５」が設定されている。
【００７３】
すなわち、「端末ＩＤ」が「１」である情報には、「貸出日時」及び「返却予定日時」に情報が設定されている。そのため、「端末ＩＤ」が「１」である情報は、「端末ＩＤ」が「１」である携帯端末装置３が、現在利用者に貸し出されていることを示している。また、「端末ＩＤ」が「１」である情報には、「充電可否」に「制限」が設定されている。そのため、「端末ＩＤ」が「１」である情報は、「端末ＩＤ」が「１」である携帯端末装置３が、現在充電されていない状態であることを示している。
【００７４】
一方、「端末ＩＤ」が「２」である情報には、「充電回数」として「１５」が設定され、「電池残量」として「２０」が設定され、「充電器接続状態」として「接続」が設定されている。また、この情報には、「充電可否」として「可能」が設定され、「貸出日時」及び「返却予定日時」がブランクになっている。
【００７５】
すなわち、「端末ＩＤ」が「２」である情報には、「貸出日時」及び「返却予定日時」に情報が設定されていない。そのため、「端末ＩＤ」が「２」である情報は、「端末ＩＤ」が「２」である携帯端末装置３が、現在利用者に貸し出されていないことを示している。また、「端末ＩＤ」が「２」である情報には、「充電器接続状態」に「接続」が設定され、「充電可否」に「可能」が設定されている。そのため、「端末ＩＤ」が「２」である情報は、「端末ＩＤ」が「２」である携帯端末装置３が、現在充電中であることを示している。図２３の他の情報については説明を省略する。
【００７６】
そして、図２３の端末情報１３４が示す状態において、例えば、情報受信部１２１が、「端末ＩＤ」が「２」である携帯端末装置３から電池残量１３１を受信した場合、端末情報管理部１２４は、「端末ＩＤ」が「２」である情報の「電池残量」を更新する。具体的に、「端末ＩＤ」が「２」である携帯端末装置３から受信した電池残量１３１が２１である場合、端末情報管理部１２４は、図２４に示すように、「端末ＩＤ」が「２」である情報の「電池残量」を「２１」に更新する（図２４の下線部分）。これにより、管理サーバ１は、各携帯端末装置３の電池残量１３１を管理することが可能になる。
【００７７】
[管理サーバにおける充電許可処理]
次に、管理サーバ１が携帯端末装置３の充電を許可する場合の処理（以下、充電許可処理とも呼ぶ）を説明する。図１０から図１３は、第１の実施の形態における充電許可処理を説明するフローチャート図である。なお、この充電許可処理は、図７で説明したＳ１、Ｓ３及びＳ４の処理に対応する。
【００７８】
管理サーバ１の充電端末決定部１２２は、図１０の左側のフローチャートに示すように、第１閾値１３２と第２閾値１３３とを情報格納領域１３０に記憶する（Ｓ３０）。充電端末決定部１２２は、例えば、事業者が予め決定した第１閾値１３２及び第２閾値１３３を情報格納領域１３０に記憶するものであってよい。なお、事業者は、利用者に対するサービスの提供状況によって、情報格納領域１３０に記憶された第１閾値１３２及び第２閾値を更新するものであってもよい。
【００７９】
一方、充電端末決定部１２２は、図１０の右側のフローチャートに示すように、充電許可タイミングになるまで待機する（Ｓ３１のＮＯ）。充電許可タイミングは、例えば、１分に１回等、定期的なタイミングであってよい。
【００８０】
そして、充電許可タイミングになった場合（Ｓ３１のＹＥＳ）、充電端末決定部１２２は、現在貸出を行うことができる携帯端末装置３（以下、貸出可能端末とも呼ぶ）の台数を集計する処理（以下、貸出可能端末集計処理とも呼ぶ）を行う（Ｓ３２）。以下、貸出可能端末集計処理の詳細を説明する。
【００８１】
[貸出可能端末集計処理（Ｓ３２）]
図１１は、貸出可能端末集計処理の詳細を説明するフローチャートである。
【００８２】
充電端末決定部１２２は、貸出可能な携帯端末装置３を示す変数であるＺ（以下、変数Ｚとも呼ぶ）に０を設定する（Ｓ４１）。変数Ｚの値は、例えば、情報格納領域１３０に記憶されるものであってよい。
【００８３】
次に、充電端末決定部１２２は、端末情報１３４から携帯端末装置３の情報を１台分取得する（Ｓ４２）。そして、充電端末決定部１２２は、Ｓ４２において取得した情報に対応する携帯端末装置３が、利用者に貸出可能な状態にあるか否かを判定する（Ｓ４３）。具体的に、充電端末決定部１２２は、Ｓ４２において取得した情報に含まれる「電池残量」に設定された値が、第１閾値１３２以上であるか否かを判定する。また、充電端末決定部１２２は、Ｓ４２において取得した情報に含まれる「充電器接続情報」が、「接続」であるか否か（貸出中であるか否か）を判定する。その結果、「電池残量」が第１閾値１３２以上であり、「充電器接続情報」が「接続」である場合、充電端末決定部１２２は、Ｓ４２において取得した情報に対応する携帯端末装置３が、貸出可能な携帯端末装置３であると判定する。
【００８４】
次に、Ｓ４２において取得した情報に対応する携帯端末装置３が、利用者に貸出可能な状態であると判定した場合（Ｓ４３のＹＥＳ）、充電端末決定部１２２は、変数Ｚに設定されている値に１を加算する（Ｓ４４）。一方、Ｓ４２において取得した情報に対応する携帯端末装置３が、利用者に貸出可能な状態ではないと判定した場合（Ｓ４３のＮＯ）、充電端末決定部１２２は、Ｓ４４の処理を行わない。
【００８５】
そして、端末情報１３４に含まれる全ての携帯端末装置３の情報の取得が終了した場合（Ｓ４５のＹＥＳ）、充電端末決定部１２２は、貸出可能端末集計処理（図１０のＳ３２）を終了する。一方、全ての携帯端末装置３の情報の取得が終了していない場合（Ｓ４５のＮＯ）、充電端末決定部１２２は、情報の取得が終了していない携帯端末装置３について、Ｓ４２以降の処理を再度行う。
【００８６】
[貸出可能端末集計処理の具体例]
次に、図２４の端末情報１３４が示す状態において、貸出可能端末集計処理を実行する場合の具体例について説明する。以下、第１閾値１３２に５０が設定されているものとして説明を行う。
【００８７】
図２４に示す端末情報１３４において、充電端末決定部１２２は、初めに、「端末ＩＤ」が「１」である情報を取得する（Ｓ４２）。そして、充電端末決定部１２２は、取得した情報の「電池残量」が「７５」であるため、第１閾値１３２である５０よりも大きいが、取得した情報の「充電器接続状態」が「未接続」であると判定する（Ｓ４３のＮＯ）。したがって、充電端末決定部１２２は、Ｓ４４の処理を行わない。
【００８８】
続いて、充電端末決定部１２２は、「端末ＩＤ」が「２」である情報を取得する（Ｓ４５のＮＯ、Ｓ４２）。そして、充電端末決定部１２２は、取得した情報の「電池残量」が「２１」であるため、第１閾値１３２である５０よりも小さいと判定する（Ｓ４３のＮＯ）。したがって、充電端末決定部１２２は、Ｓ４４の処理を行わない。
【００８９】
次に、充電端末決定部１２２は、「端末ＩＤ」が「３」である情報を取得する（Ｓ４５のＮＯ、Ｓ４２）。そして、充電端末決定部１２２は、取得した情報の「電池残量」が「６０」であるため、第１閾値１３２である５０よりも大きく、取得した情報の「充電器接続状態」が「接続」であると判定する（Ｓ４３のＹＥＳ）。したがって、充電端末決定部１２２は、変数Ｚの値である０に１を加算した値である１を、変数Ｚに設定する（Ｓ４４）。
【００９０】
続いて、充電端末決定部１２２は、「端末ＩＤ」が「４」である情報を取得する（Ｓ４５のＮＯ、Ｓ４２）。そして、充電端末決定部１２２は、取得した情報の「電池残量」が「３５」であるため、第１閾値１３２である５０よりも小さいと判定する（Ｓ４３のＮＯ）。したがって、充電端末決定部１２２は、Ｓ４４の処理を行わない。
【００９１】
さらに、充電端末決定部１２２は、「端末ＩＤ」が「５」である情報を取得する（Ｓ４５のＮＯ、Ｓ４２）。そして、充電端末決定部１２２は、取得した情報の「電池残量」が「４０」であるため、第１閾値１３２である５０よりも小さいと判定する（Ｓ４３のＮＯ）。したがって、充電端末決定部１２２は、Ｓ４４の処理を行わない。また、「端末ＩＤ」が「５」である情報の取得により、端末情報１３４に含まれる全ての携帯端末装置３の情報の取得が終了したため、充電端末決定部１２２は、貸出可能端末集計処理を終了する（Ｓ４５のＹＥＳ）。
【００９２】
すなわち、上記の具体例において、充電端末決定部１２２は、図２４の端末情報１３４に情報が含まれる携帯端末装置３のうち、現在の貸出可能端末の数が１台であると判定する。
【００９３】
図１０に戻り、充電端末決定部１２２は、貸出可能端末の数（変数Ｚに設定されている値）が第２閾値１３３以上であるか否かの判定を行う（Ｓ３３）。そして、貸出可能端末の数が第２閾値１３３以上である場合（Ｓ３３のＹＥＳ）、充電端末決定部１２２は、次の充電許可タイミングまで待機する（Ｓ３１）。すなわち、貸出可能端末の数が第２閾値１３３以上である場合、充電端末決定部１２２は、新たに携帯端末装置３の充電を開始する必要がないと判定し、次の充電許可タイミングまで待機する。
【００９４】
一方、貸出可能端末の数が第２閾値１３３以上ではない場合（Ｓ３３のＮＯ）、充電端末決定部１２２は、充電を行う携帯端末装置３を決定する充電端末決定処理を行う（Ｓ３４）。
【００９５】
具体的に、現在の貸出可能端末の数が１であるのに対し、第２閾値１３３に設定された値が３である場合、充電端末決定部１２２は、貸出可能端末の数が３になるように、充電端末決定処理を行う（Ｓ３３のＮＯ、Ｓ３４）。以下、充電端末決定処理の詳細を説明する。
【００９６】
[充電端末決定処理（Ｓ３４）]
図１２は、充電端末決定処理の詳細を説明するフローチャートである。以下、充電端末決定部１２２は、貸出中ではなく、充電が制限されている携帯端末装置３のうち、充電回数が最も少ない携帯端末装置３を充電すべき携帯端末装置３として決定するものとして説明を行う。
【００９７】
充電端末決定部１２２は、携帯端末装置３の充電回数を示す変数であるＸ（以下、変数Ｘとも呼ぶ）に、携帯端末装置３の充電回数になり得る値よりも十分に大きな値（例えば、１０００００）を設定する（Ｓ５１）。また、充電端末決定部１２２は、携帯端末装置３の端末ＩＤを示す変数であるＡに０を設定する（Ｓ５１）。変数Ｘの値及び変数Ａの値は、例えば、情報格納領域１３０に記憶されるものであってよい。
【００９８】
次に、充電端末決定部１２２は、端末情報１３４から携帯端末装置３の情報を１台分取得する（Ｓ５２）。そして、充電端末決定部１２２は、Ｓ５２で取得した情報に対応する携帯端末装置３が利用者に貸出可能である、または、Ｓ５２で取得した情報に対応する携帯端末装置３が利用者に貸出可能ではないが充電中であるか否かを判定する（Ｓ５３）。
【００９９】
すなわち、充電端末決定部１２２は、Ｓ４３と同様に、Ｓ５２で取得した情報に対応する携帯端末装置３が、利用者に貸出可能な状態であるか否かを判定する。また、充電端末決定部１２２は、Ｓ５２で取得した情報に対応する携帯端末装置３が、後述するＳ５７の処理によって既に充電許可情報が送信された携帯端末装置３（充電中である携帯端末装置３）であるか否かを判定する。そして、Ｓ５２で取得した情報に対応する携帯端末装置３が、利用者に貸出可能な状態ではなく、かつ、充電中の携帯端末装置３ではないと判定した場合に限り、後述するＳ５４以降の処理を行う。これにより、充電端末決定部１２２は、貸出可能端末集計処理において利用者に貸出可能な状態ではないと判定され、かつ、充電許可情報が送信されていない（充電中でない）携帯端末装置３の中から、充電すべき携帯端末装置３を決定することが可能になる。
【０１００】
そして、Ｓ５２で取得した情報に対応する携帯端末装置３が、利用者に貸出可能な状態であると判定した場合（Ｓ５３のＹＥＳ）、充電端末決定部１２２は、Ｓ５２の処理を再度行い、端末情報１３４に含まれる次の携帯端末装置３の情報を取得する。
【０１０１】
一方、Ｓ５２で取得した情報に対応する携帯端末装置３が、利用者に貸出可能な状態ではなく、かつ、充電中の携帯端末装置３ではないと判定した場合（Ｓ５３のＮＯ）、充電端末決定部１２２は、Ｓ５２で取得した情報に対応する携帯端末装置３が、充電を行うべき携帯端末装置３であるか否かを判定する（Ｓ５４）。
【０１０２】
具体的に、充電端末決定部１２２は、Ｓ５４において、Ｓ５２において取得した情報に含まれる「充電可否」が、「制限」であるか否かを判定する。また、充電端末決定部１２２は、Ｓ５２において取得した情報に含まれる「充電器接続状態」が、「接続」であるか否か（貸出中であるか否か）を判定する。さらに、充電端末決定部１２２は、Ｓ５２において取得した情報に含まれる「充電回数」に設定された値が、変数Ｘに設定されている値未満であるか否かを判定する。
【０１０３】
その結果、「充電可否」が「制限」であり、「充電器接続状態」が「接続」であり、「充電回数」に設定された値が変数Ｘに設定されている値未満である場合（Ｓ５４のＹＥＳ）、充電端末決定部１２２は、「充電回数」に設定された値を変数Ｘに設定する（Ｓ５５）。さらに、この場合、充電端末決定部１２２は、取得した情報に含まれる「端末ＩＤ」に設定された値を変数Ａに設定する（Ｓ５５）。
【０１０４】
一方、「充電可否」が「制限」ではない場合、「充電器接続状態」が「接続」ではない場合、または「充電回数」に設定された値が変数Ｘに設定されている値以上である場合（Ｓ５４のＮＯ）、充電端末決定部１２２は、Ｓ５５の処理を行わない。
【０１０５】
これにより、充電端末決定部１２２は、貸出中ではなく、充電が制限されている携帯端末装置３のうち、充電回数が最も少ない携帯端末装置３の「充電回数」と「端末ＩＤ」とを、それぞれ変数Ｘと変数Ａに設定することが可能になる。
【０１０６】
そして、Ｓ５５の後において、全ての携帯端末装置３の情報の取得が終了していない場合（Ｓ５６のＮＯ）、充電端末決定部１２２は、情報の取得が終了していない携帯端末装置３について、Ｓ５２以降の処理を再度行う。
【０１０７】
一方、全ての携帯端末装置３の情報の取得が終了した場合（Ｓ５６のＹＥＳ）、情報送信部１２５は、変数Ａに設定された端末ＩＤの携帯端末装置３に、充電許可情報を送信する（Ｓ５７）。これにより、管理サーバ１は、充電を許可する携帯端末装置３に、充電を開始させることが可能になる。
【０１０８】
その後、端末情報管理部１２４は、端末情報１３４を更新する（Ｓ５８）。そして、充電端末決定部１２２は、貸出可能端末の数が第２閾値１３３以上になるまで、図１０のＳ３３以降の処理を行う。
【０１０９】
[充電端末決定処理の具体例]
次に、図２４の端末情報１３４が示す状態において、充電端末決定処理を実行した場合の具体例について説明する。
【０１１０】
図２４に示す端末情報１３４において、充電端末決定部１２２は、「端末ＩＤ」が「１」である情報を取得する（Ｓ５２）。そして、充電端末決定部１２２は、取得した情報の「充電可否」が「制限」であるが、「充電器接続状態」が「未接続」であると判定する（Ｓ５４のＮＯ）。そのため、充電端末決定部１２２は、Ｓ５５の処理を行わない。
【０１１１】
続いて、充電端末決定部１２２は、「端末ＩＤ」が「２」である情報を取得する（Ｓ５６のＮＯ、Ｓ５２）。そして、充電端末決定部１２２は、取得した情報の「充電可否」が「可能」であると判定する（Ｓ５４のＮＯ）。そのため、充電端末決定部１２２は、Ｓ５５の処理を行わない。
【０１１２】
次に、充電端末決定部１２２は、「端末ＩＤ」が「３」である情報を取得する（Ｓ５６のＮＯ、Ｓ５２）。そして、充電端末決定部１２２は、「端末ＩＤ」が「３」である情報に対応する携帯端末装置３が、既に利用者に貸出可能な状態であると判定する（Ｓ５３のＹＥＳ）。そのため、充電端末決定部１２２は、Ｓ５４及びＳ５５の処理を行わない。
【０１１３】
続いて、充電端末決定部１２２は、「端末ＩＤ」が「４」である情報を取得する（Ｓ５６のＮＯ、Ｓ５２）。そして、充電端末決定部１２２は、取得した情報の「充電可否」が「制限」であり、「充電器接続状態」が「接続」であると判定する。また、充電端末決定部１２２は、取得した情報の「充電回数」が「１３５」であるため、変数Ｘに設定された値である１０００００よりも小さいと判定する（Ｓ５４のＹＥＳ）。そのため、充電端末決定部１２２は、変数Ｘに、取得した情報の「充電回数」である「１３５」を設定し、変数Ａに、取得した情報の「端末ＩＤ」である「４」を設定する（Ｓ５５）。
【０１１４】
続いて、充電端末決定部１２２は、「端末ＩＤ」が「５」である情報を取得する（Ｓ５６のＮＯ、Ｓ５２）。そして、充電端末決定部１２２は、取得した情報の「充電可否」は「制限」であり、「充電器接続状態」が「接続」であるが、取得した情報の「充電回数」は「１６０」であるため、変数Ｘに設定された値である１３５よりも大きいと判定する（Ｓ５４のＮＯ）。したがって、充電端末決定部１２２は、Ｓ５５の処理を行わない。
【０１１５】
すなわち、上記の具体例において、充電端末決定部１２２は、端末ＩＤが「４」である携帯端末装置３を充電すべき携帯端末装置３として決定する。
【０１１６】
次に、Ｓ５８で更新する端末情報１３４の具体例を説明する。図２５は、図２４に示す端末情報１３４を更新した場合の具体例である。以下、充電端末決定部１２２が、「端末ＩＤ」が「４」である携帯端末装置３を充電すべき携帯端末装置３として決定した場合について説明する。
【０１１７】
この場合、端末情報管理部１２４は、図２５に示すように、「端末ＩＤ」が「４」である情報の「充電回数」を「１３６」に更新する（図２５の下線部分）。また、端末情報管理部１２４は、図２５に示すように、「端末ＩＤ」が「４」である情報の「充電可否」を「可能」に更新する（図２５の下線部分）。これにより、端末情報管理部１２４は、充電端末決定処理の実行結果を、端末情報１３４に反映させることが可能になる。
【０１１８】
[携帯端末装置における充電許可処理]
次に、携帯端末装置３における充電許可処理を説明する。
【０１１９】
携帯端末装置３の情報受信部３２１は、図１３に示すように、管理サーバ１から充電許可情報または充電制限情報を受信するまで待機する（Ｓ６１のＮＯ）。
【０１２０】
そして、充電許可情報または充電制限情報を受信した場合（Ｓ６１のＹＥＳ）、携帯端末装置３のフラグ制御部３２２は、情報格納領域３３０に記憶された充電フラグ３３１を更新する（Ｓ６２）。管理サーバ１が充電制限情報を送信する場合については後述する。
【０１２１】
続いて、Ｓ６１の処理の結果、充電フラグ３３１が充電を許可する旨を示している場合（Ｓ６３のＹＥＳ）、フラグ制御部３２２は、図４で説明した充電制御部３１１に、バッテリー３１０の充電の開始を指示する（Ｓ６４）。一方、充電フラグ３３１が充電を制限する旨を示している場合（Ｓ６３のＮＯ）、フラグ制御部３２２は、充電制御部３１１に、バッテリー３１０の充電の中止を指示する（Ｓ６５）。
【０１２２】
すなわち、携帯端末装置３は、管理サーバ１から送信される充電許可情報または充電制御情報によってのみ、充電フラグ３３１の更新を行う。そのため、携帯端末装置３は、自装置と充電ケーブル２４とが接続しただけでは、充電を開始することができない。したがって、管理サーバ１は、予め定めた第１閾値１３２及び第２閾値１３３に応じて、充電許可情報及び充電制御情報を送信することにより、携帯端末装置３の充電頻度を適切に管理することが可能になる。
【０１２３】
[返却制御処理の概略]
次に、管理サーバ１が利用者による携帯端末装置３の返却を制御する処理（以下、返却制御処理とも呼ぶ）を説明する。図１４は、第１の実施の形態における返却制御処理を説明するシーケンスチャート図である。また、図１５から図１７は、第１の実施の形態における返却制御処理を説明するフローチャート図である。
【０１２４】
本実施の形態における管理サーバ１は、図７等で説明したように携帯端末装置３の充電を制御するだけでなく、利用者に対する携帯端末装置３の貸出及び返却を制御するものであってよい。これにより、管理サーバ１は、利用者による携帯端末装置３の貸出要求が発生した場合に、携帯端末装置３から受信した電池残量１３１の情報に応じて、貸出を行う携帯端末装置３を決定することが可能になる。
【０１２５】
初めに、図１４を参照しながら、返却制御処理の概略について説明する。なお、図１４に示す例では、利用者によって携帯端末装置３ａが返却される場合について説明する。
【０１２６】
携帯端末装置３ａは、自装置と充電装置２の充電ケーブル２４とが接続されたことを検知した場合（Ｓ７１）、自装置と充電ケーブル２４とが接続されたことを示す充電器接続情報を管理サーバ１に送信する（Ｓ７２）。そして、携帯端末装置３ａは、例えば、充電装置２における携帯端末装置３ａの返却に伴う処理（以下、返却処理とも呼ぶ）の実行を利用者に促すために、表示装置３０５の点滅を行う（Ｓ７３）。
【０１２７】
その後、管理サーバ１は、充電器接続情報を受信した場合、利用者に充電装置２における返却処理を実行させるために、充電装置２の入力部２２の点滅を指示する入力部点滅情報を充電装置２に送信する（Ｓ８２）。
【０１２８】
続いて、充電装置２は、入力部点滅情報を受信した場合、入力部２２における返却ボタンを点滅させ（Ｓ９２）、利用者が返却処理を実行するまで（返却ボタンをタッチするまで）待機する。そして、充電装置２は、返却ボタンがタッチされた場合（Ｓ９３）、携帯端末装置３ａの返却が行われたことを示す返却情報を管理サーバ１に送信する（Ｓ９４）。
【０１２９】
次に、管理サーバ１は、返却情報を受信した場合、返却完了後の処理を実行させるための返却完了情報を携帯端末装置３ａに送信する（Ｓ８４）。そして、管理サーバ１は、端末情報１３４の更新を行う（Ｓ８５）。すなわち、管理サーバ１は、携帯端末装置３ａから送信された充電器接続情報と、充電装置２から送信された返却情報との両方を受信した場合に、携帯端末装置３ａに返却完了情報を送信する。これにより、管理サーバ１は、携帯端末装置３ａから充電器接続情報が送信された場合において、携帯端末装置３ａが充電装置２に返却されたこと（携帯端末装置３ａと充電ケーブル２４とが接続したこと）を確認した場合に、返却完了情報を送信することが可能になる。
【０１３０】
そして、携帯端末装置３ａは、返却完了情報を受信した場合、表示装置３０５の点滅を中止し、タッチパネル機能を停止する（Ｓ７５、Ｓ７６）。
【０１３１】
これにより、管理サーバ１は、利用者に貸出を行った携帯端末装置３ａの返却に関する情報を管理することが可能になる。
【０１３２】
[携帯端末装置における返却制御処理]
次に、図１５を参照しながら、携帯端末装置３における返却制御処理の詳細を説明する。
【０１３３】
図４で説明した携帯端末装置３の電源供給制御部３０９は、自装置と充電ケーブル２４とが接続したことを検知するまで待機する（Ｓ７１のＮＯ）。
【０１３４】
そして、充電ケーブル２４の接続を検知した場合（Ｓ７１のＹＥＳ）、携帯端末装置３の情報送信部３２６は、充電ケーブル２４が接続された旨を示す充電器接続情報を、管理サーバ１に送信する（Ｓ７２）。
【０１３５】
次に、携帯端末装置３の表示制御部３２３は、表示装置３０５を点滅させる（Ｓ７３）。これにより、表示制御部３２３は、携帯端末装置３の返却処理が完了していないことを利用者に認識させ、充電装置２における返却処理の実行を利用者に促すことが可能になる。この返却処理は、例えば、タッチパネルである入力部２２に表示された返却ボタンを、利用者がタッチすることにより完了するものであってよい。
【０１３６】
その後、情報受信部３２１は、管理サーバ１から携帯端末装置３の返却を許可する旨を示す返却完了情報を受信するまで待機する（Ｓ７４のＮＯ）。返却完了情報は、携帯端末装置３が充電器接続情報を送信した場合において、利用者が充電装置２において返却処理を行った場合に、管理サーバ１から携帯端末装置３に送信されるものである。
【０１３７】
すなわち、利用者は、充電装置２以外の充電器（例えば、利用者が所有している充電器等）と携帯端末装置３とを接続し、携帯端末装置３の充電を試みる可能性がある。そして、携帯端末装置３は、この場合、接続された充電器が充電装置２の充電器とは異なるものであると判別できず、Ｓ７２で説明した充電器接続情報を管理サーバ１に送信する可能性がある。そのため、管理サーバ１は、利用者が携帯端末装置３を充電装置２以外の充電器に接続した場合に、携帯端末装置３が充電装置２に返却されたものと誤って判定する可能性がある。
【０１３８】
そこで、本実施の形態における管理サーバ１は、利用者が充電装置２に携帯端末装置３の返却を行う場合、利用者に携帯端末装置３の返却処理を実行させる。これにより、管理サーバ１は、充電装置２から返却情報を受信した場合に、携帯端末装置３が充電装置２に返却された（携帯端末装置３と充電ケーブル２４との接続が行われた）と判定することが可能になる。そのため、管理サーバ１は、携帯端末装置３が充電装置２以外の充電器に接続された場合と、携帯端末装置３が充電装置２に返却された場合との判別を行うことが可能になる。
【０１３９】
そして、管理サーバ１から返却完了情報を受信した場合（Ｓ７４のＮＯ）、表示制御部３２３は、表示装置３０５の点滅を中止させる（Ｓ７５）。すなわち、管理サーバ１から返却完了情報を受信した場合、表示制御部３２３は、利用者による携帯端末装置３の返却処理が完了したと判定する。そのため、この場合、表示制御部３２３は、表示装置３０５の点滅を中止させる。
【０１４０】
さらに、管理サーバ１から返却完了情報を受信した場合（Ｓ７４のＮＯ）、携帯端末装置３のタッチパネル制御部３２４は、タッチパネル３０６の機能を停止する（Ｓ７６）。これにより、管理サーバ１の許可を得ることなく携帯端末装置３が充電装置２から持ち出された場合において、携帯端末装置３の使用を防止することが可能になる。
【０１４１】
[管理サーバにおける返却制御処理]
次に、図１６を参照しながら、管理サーバ１における返却制御処理の詳細を説明する。
【０１４２】
管理サーバ１の情報受信部１２１は、携帯端末装置３から充電器接続情報を受信するまで待機する（Ｓ８１のＮＯ）。そして、携帯端末装置３から充電器接続情報を受信した場合（Ｓ８１のＹＥＳ）、管理サーバ１の情報送信部１２５は、充電装置２に入力部点滅情報を送信し、入力部２２の点滅を指示する（Ｓ８２）。これにより、管理サーバ１は、利用者が携帯端末装置３の返却を行う場合、利用者に返却処理を実行させることが可能になる。
【０１４３】
その後、情報受信部１２１は、充電装置２から返却情報を受信するまで待機する（Ｓ８３のＮＯ）。すなわち、情報受信部１２１は、利用者が充電装置２において返却処理を行うまで待機する。
【０１４４】
そして、返却情報を受信した場合（Ｓ８３のＹＥＳ）、情報送信部１２５は、充電器接続情報を送信した携帯端末装置３に返却完了情報を送信する（Ｓ８４）。これにより、携帯端末装置３は、タッチパネル３０６の機能の停止等を行うことが可能になる（Ｓ７５、Ｓ７６）。また、端末情報管理部１２４は、端末情報１３４の更新を行う（Ｓ８５）。以下、返却制御処理を実行した場合における端末情報１３４の具体例を説明する。
【０１４５】
図２６は、図２５の状態の端末情報１３４において、「端末ＩＤ」が「１」である携帯端末装置３の返却が行われた場合を示す具体例である。具体的に、端末情報管理部１２４は、図２６に示すように、「充電器接続情報」を「接続」に更新し（図２６の下線部分）、「貸出日時」及び「返却予定日時」をブランクに更新する。これにより、端末情報管理部１２４は、返却制御処理の実行結果を、端末情報１３４に反映させることが可能になる。
【０１４６】
[充電装置における返却制御処理]
次に、図１７を参照しながら、充電装置２における返却制御処理の詳細を説明する。
【０１４７】
充電装置２の通信部２３は、管理サーバ１から入力部点滅情報を受信するまで待機する（Ｓ９１のＮＯ）。そして、管理サーバ１から入力部点滅情報を受信した場合（Ｓ９１のＹＥＳ）、充電装置２の入力部２２は、返却ボタンの点滅を行う（Ｓ９２）。
【０１４８】
次に、入力部２２は、利用者によって返却ボタンがタッチされるまで待機する（Ｓ９３のＮＯ）。そして、返却ボタンがタッチされた場合（Ｓ９３のＹＥＳ）、通信部２３は、管理サーバ１に返却情報を送信する（Ｓ９４）。
【０１４９】
[貸出制御処理の概略]
次に、管理サーバ１が利用者に携帯端末装置３の貸出を行う処理（以下、貸出制御処理とも呼ぶ）を説明する。図１８は、第１の実施の形態における貸出制御処理を説明するシーケンスチャート図である。また、図１９から図２２は、第１の実施の形態における貸出制御処理を説明するフローチャート図である。
【０１５０】
初めに、図１８を参照しながら、貸出制御処理の概略について説明する。なお、図１８に示す例では、利用者に対して携帯端末装置３ａの貸出が行われる場合について説明する。
【０１５１】
充電装置２は、利用者が携帯端末装置３の貸出を要求するための貸出要求ボタンをタッチした場合（Ｓ１０１）、管理サーバ１に貸出要求情報を送信する（Ｓ１０２）。
【０１５２】
そして、管理サーバ１は、貸出要求情報を受信した場合、貸出要求を行った利用者に貸出を行う携帯端末装置３を決定する（Ｓ１１２）。その後、管理サーバ１は、利用者への貸出が決定した携帯端末装置３ａに、利用者に貸出を行うための準備処理を実行させるための貸出許可情報を送信する（Ｓ１１３）。
【０１５３】
次に、携帯端末装置３ａは、貸出許可情報を受信した場合、貸出を行う携帯端末装置３である携帯端末装置３ａの格納位置を利用者に認識させるために、表示装置３０５を点滅させる（Ｓ１３２）。そして、携帯端末装置３ａは、利用者による自装置と充電ケーブル２４との接続解除を検知した場合（Ｓ１３３）、表示装置３０５の点滅を中止し、携帯端末装置３ａの利用を可能にするためにタッチパネル３０６の機能を開始する（Ｓ１３４、Ｓ１３５）。さらに、携帯端末装置３ａは、携帯端末装置３ａと充電ケーブル２４との接続が解除されたことを示す充電器接続解除情報を管理サーバ１に送信する（Ｓ１３６）。
【０１５４】
その後、管理サーバ１は、充電器接続解除情報を受信した場合、携帯端末装置３ａの充電を制限するための充電制限情報を携帯端末装置３ａに送信する（Ｓ１１５）。さらに、管理サーバ１は、端末情報１３４の更新を行う（Ｓ１１６）。
【０１５５】
そして、携帯端末装置３ａは、充電制限情報を受信した場合（Ｓ１３７）、携帯端末装置３ａは、バッテリー３１０の充電停止を行う（Ｓ１３８）。
【０１５６】
これにより、管理サーバ１は、利用者に対して貸出を行う携帯端末装置３ａの管理を行うことが可能になる。
【０１５７】
[充電装置における貸出制御処理]
次に、図１９を参照しながら、充電装置２における貸出制御処理の詳細について説明する。
【０１５８】
充電装置２の入力部２２は、利用者によって貸出要求ボタンをタッチされるまで待機する（Ｓ１０１のＮＯ）。
【０１５９】
そして、貸出要求ボタンがタッチされた場合（Ｓ１０１のＹＥＳ）、通信部２３は、管理サーバ１に貸出要求情報を送信する（Ｓ１０２）。なお、携帯端末装置３の貸出要求時間に応じて貸出要求ボタンが複数ある場合、通信部２３は、例えば、利用者によって貸出要求ボタンがタッチされた旨の情報に加えて、利用者がタッチした貸出要求ボタンを特定するための情報を、貸出要求情報として送信する。
【０１６０】
[管理サーバにおける貸出制御処理]
次に、図２０を参照しながら、管理サーバ１における貸出制御処理の詳細について説明する。以下、貸出端末決定部１２３は、貸出中ではない携帯端末装置３のうち、利用者による貸出要求時間が携帯端末装置３の利用可能時間以下である携帯端末装置３を、貸出すべき携帯端末装置３として決定するものとする。さらに、貸出端末決定部１２３は、貸出中ではなく、利用者による貸出要求時間が携帯端末装置３の利用可能時間以下である携帯端末装置３が複数存在する場合、電池残量が最も少ない携帯端末装置３を貸出すべき携帯端末装置３として決定するものとする。なお、利用可能時間は、例えば、携帯端末装置３の電池残量に、電池残量１（％）あたりの携帯端末装置３の利用可能時間を乗算した値であってよい。
【０１６１】
管理サーバ１の情報受信部１２１は、充電装置２から貸出要求情報を受信するまで待機する（Ｓ１１１）。そして、情報受信部１２１が貸出要求情報を受信した場合（Ｓ１１１のＹＥＳ）、管理サーバ１の貸出端末決定部１２３は、貸出を行う携帯端末装置３を決定する（Ｓ１１２）。以下、貸出を行う携帯端末装置３を決定するための処理の詳細を説明する。
【０１６２】
図２１は、Ｓ１１２の処理の詳細を説明する図である。貸出端末決定部１２３は、携帯端末装置３の電池残量１３１を示す変数であるＹ（以下、変数Ｙとも呼ぶ）に、携帯端末装置３の電池残量１３１になり得る値よりも十分に大きな値（例えば、１０００００）を設定する（Ｓ１２１）。また、貸出端末決定部１２３は、携帯端末装置３の端末ＩＤを示す変数であるＡに０を設定する（Ｓ１２１）。貸出端末決定部１２３は、例えば、変数Ｙ及び変数Ａの値を情報格納領域１３０に記憶するものであってよい。
【０１６３】
次に、貸出端末決定部１２３は、端末情報１３４から携帯端末装置３の情報を１台分取得する（Ｓ１２２）。そして、貸出端末決定部１２３は、Ｓ１２２において取得した情報に対応する携帯端末装置３が貸出を行うべき携帯端末装置３であるか否かを判定する（Ｓ１２３）。具体的に、貸出端末決定部１２３は、Ｓ１２２において取得した情報に含まれる「電池残量」に設定された値が、変数Ｙに設定された値以下であるか否かを判定する。また、貸出端末決定部１２３は、Ｓ１２２において取得した情報に含まれる「電池残量」に設定された値から算出した携帯端末装置３の利用可能時間が、Ｓ１１１で受信した貸出要求情報に含まれる貸出要求時間以上であるか否かを判定する。さらに、貸出端末決定部１２３は、Ｓ１２２において取得した情報に含まれる「充電器接続状態」が「接続」であるか否か（貸出中であるか否か）を判定する。
【０１６４】
その結果、「電池残量」に設定された値が変数Ｙに設定された値以下であり、利用可能時間が貸出要求時間以上であり、「充電器接続状態」が「接続」である場合（Ｓ１２３のＹＥＳ）、貸出端末決定部１２３は、「電池残量」に設定された値を変数Ｙに設定する（Ｓ１２４）。さらに、この場合、貸出端末決定部１２３は、取得した情報に含まれる「端末ＩＤ」に設定された値を変数Ａに設定する（Ｓ１２４）。
【０１６５】
一方、「電池残量」に設定された値が変数Ｙに設定された値より大きい場合、利用可能時間が貸出要求時間よりも小さい場合、または、「充電器接続状態」が「接続」ではない場合（Ｓ１２３のＮＯ）、貸出端末決定部１２３は、Ｓ１２４の処理を行わない。
【０１６６】
そして、Ｓ１２４の後において、全ての携帯端末装置３の情報の取得が終了していない場合（Ｓ１２５のＮＯ）、貸出端末決定部１２３は、情報の取得が終了していない携帯端末装置３について、Ｓ１２２以降の処理を再度行う。一方、全ての携帯端末装置３の情報の取得が終了した場合（Ｓ１２５のＹＥＳ）、管理サーバ１は、図２０のＳ１１３以降の処理を行う。
【０１６７】
図２０に戻り、情報送信部１２５は、Ｓ１１２で決定した携帯端末装置３に貸出許可情報を送信する（Ｓ１１３）。その後、情報受信部１２１は、携帯端末装置３から充電器接続解除情報を受信するまで待機する（Ｓ１１４のＮＯ）。
【０１６８】
そして、情報受信部１２１が充電器接続解除情報を受信した場合（Ｓ１１４のＹＥＳ）、情報送信部１２５は、Ｓ１１２で決定した携帯端末装置３に充電制限情報を送信する（Ｓ１１５）。
【０１６９】
すなわち、本実施の形態における携帯端末装置３は、自装置の貸出が行われた場合に充電を中止する。一方、本実施の形態における携帯端末装置３は、自装置の返却が行われた場合においては必ずしも充電を開始しない。具体的に、本実施の形態における携帯端末装置３は、充電フラグ３３１が携帯端末装置３の充電を許可している場合に限り充電を開始する。そのため、管理サーバ１は、各携帯端末装置３の充電フラグ３３１を制御することにより、携帯端末装置３の充電頻度を抑えるように管理することが可能になる。
【０１７０】
その後、端末情報管理部１２４は、端末情報１３４の更新を行う（Ｓ１１６）。以下、返却制御処理を実行した場合における端末情報１３４の具体例を説明する。
【０１７１】
図２７は、図２６の状態の端末情報１３４において、「端末ＩＤ」が「３」である携帯端末装置３の貸出が行われた場合を示す具体例である。この場合、端末情報管理部１２４は、図２７に示すように、「端末ＩＤ」が「３」である情報に対応する「充電器接続情報」を「未接続」に更新し、「貸出可否」を「制限」に更新する。さらに、端末情報管理部１２４は、「端末ＩＤ」が「３」である情報に対応する「貸出日時」に、携帯端末装置３の貸出を行った時間（図２７の例では、２０１４／９／１１  １６：３０）を設定する。また、端末情報管理部１２４は、「端末ＩＤ」が「３」である情報に対応する「返却予定日時」に、携帯端末装置３の返却予定時間（図２７の例では、２０１４／９／１１  １８：３０）を設定する（図２７の下線部分）。これにより、端末情報管理部１２４は、貸出制御処理の実行結果を端末情報１３４に反映させることが可能になる。
【０１７２】
[携帯端末装置における貸出制御処理]
次に、図２２を参照しながら、携帯端末装置３における貸出制御処理の詳細を説明する。
【０１７３】
携帯端末装置３の情報受信部３２１は、図２２に示すように、管理サーバ１から貸出許可情報を受信するまで待機する（Ｓ１３１のＮＯ）。そして、情報受信部３２１が貸出許可情報を受信した場合（Ｓ１３１のＹＥＳ）、携帯端末装置３の表示制御部３２３は、表示装置３０５を点滅させる（Ｓ１３２）。これにより、携帯端末装置３は、携帯端末装置３の貸出を要求した利用者に、貸出が許可された携帯端末装置３の充電装置２における格納場所を認識させることが可能になる。
【０１７４】
その後、図４で説明した電源供給制御部３０９は、自装置と充電ケーブル２４との接続が解除されたことを検知するまで待機する（Ｓ１３３のＮＯ）。
【０１７５】
そして、充電ケーブル２４との接続解除を検知した場合（Ｓ１３３のＹＥＳ）、表示制御部３２３は、表示装置３０５の点滅を中止させる（Ｓ１３４）。さらに、この場合、携帯端末装置３のタッチパネル制御部３２４は、タッチパネル３０６の機能を開始する（Ｓ１３５）。すなわち、本実施の形態におけるタッチパネル制御部３２４は、管理サーバ１から貸出許可情報を受信したことに応じて、タッチパネル３０６の機能を開始する（Ｓ１３１）。これにより、タッチパネル制御部３２４は、例えば、充電装置２において情報の入力を行うことなく携帯端末装置３を持ち出した者による携帯端末装置３の使用を禁止することが可能になる。
【０１７６】
次に、情報送信部３２６は、管理サーバ１に充電器接続解除情報を送信する（Ｓ１３６）。その後、情報受信部３２１は、管理サーバ１から充電制限情報を受信するまで待機する（Ｓ１３７のＮＯ）。そして、管理サーバ１から充電制御情報を受信した場合（Ｓ１３７のＹＥＳ）、フラグ制御部３２２は、充電制御部３１１にバッテリー３１０の充電の中止を指示する（Ｓ１３８）。
【０１７７】
なお、管理サーバ１、充電装置２及び携帯端末装置３の間で貸出要求情報等の情報（以下、単に情報とも呼ぶ）の送受信を行う場合、情報を受信した装置は、情報を送信した装置に対して、情報を正常に受信した旨の通知を行うものであってよい。
【０１７８】
また、情報を送信した装置は、情報の送信に失敗した場合（情報を正常に受信した旨を示す情報が送信先から送信されない場合）、送信した情報を再送するものであってよい。具体的に、情報を送信した装置は、例えば、再送回数が予め定めた最大再送回数に達するまで、繰り返し情報の再送を行うものであってよい。そして、情報を送信した装置は、再送回数が最大再送回数に達した場合、情報の送信が失敗したものとしてエラーを出力するものであってよい。
【０１７９】
以上の実施の形態をまとめると、以下の付記のとおりである。
【０１８０】
（付記１）
携帯端末装置の電池残量を受信する通信部と、
前記通信部が受信した前記電池残量と、前記携帯端末装置が充電すべき電池残量である第１閾値と、電池残量を前記第１閾値以上にすべき前記携帯端末装置の数である第２閾値とに応じて、前記携帯端末装置の充電を許可する処理部と、を有する、
情報処理装置。
【０１８１】
（付記２）
付記１において、
前記処理部は、電池残量が前記第１閾値以上である前記携帯端末装置の数が、前記第２閾値未満である場合、電池残量が前記第１閾値以上である前記携帯端末装置の数が、前記第２閾値以上になるように、前記携帯端末装置の充電を許可する、
情報処理装置。
【０１８２】
（付記３）
付記１において、
前記携帯端末装置の充電の許可は、貸出中ではない前記携帯端末装置に対して行う、
情報処理装置。
【０１８３】
（付記４）
付記１において、
前記第１閾値は、前記携帯端末装置が貸し出されてから返却されるまでの間、前記携帯端末装置を使用することができる電池残量である、
情報処理装置。
【０１８４】
（付記５）
付記２において、
前記第２閾値は、同時に貸し出されることが予測される前記携帯端末装置の数の最大値である、
情報処理装置。
【０１８５】
（付記６）
付記１において、
前記処理部は、前記携帯端末装置の貸出を要求する貸出要求が発生した場合に、前記通信部が受信した前記電池残量から算出した前記携帯端末装置を利用することができる利用可能時間が、前記貸出要求に含まれる前記携帯端末装置の貸出を要求する貸出要求時間よりも長い前記携帯端末装置の貸出を許可する、
情報処理装置。
【０１８６】
（付記７）
付記６において、
前記処理部は、前記利用可能時間が前記貸出要求時間よりも長い前記携帯端末装置が複数存在する場合、電池残量が最も少ない携帯端末装置の貸出を許可する、
情報処理装置。
【０１８７】
（付記８）
付記１において、
前記処理部は、前記携帯端末装置の貸出を要求する貸出要求が発生した場合に、貸出を行う前記携帯端末装置の充電を中止する、
情報処理装置。
【０１８８】
（付記９）
携帯端末装置が、自装置の電池残量を情報処理装置に送信し、
前記情報処理装置が、前記携帯端末装置から受信した前記電池残量と、前記携帯端末装置が充電すべき電池残量である第１閾値と、電池残量を前記第１閾値以上にすべき前記携帯端末装置の数である第２閾値とに応じて、前記携帯端末装置の充電を許可する充電許可情報を前記携帯端末装置に送信し、
前記携帯端末装置が、前記情報処理装置から前記充電許可情報を受信すると、自装置の充電を開始する、
充電制御方法。
【０１８９】
（付記１０）
自装置の電池残量を情報処理装置に送信する通信部と、
前記情報処理装置から充電を許可する充電許可情報を受信すると、自装置の充電を開始する処理部と、を有する、
携帯端末装置。
【０１９０】
（付記１１）
携帯端末装置の電池残量を受信し、
受信した前記電池残量と、前記携帯端末装置が充電すべき電池残量である第１閾値と、電池残量を前記第１閾値以上にすべき前記携帯端末装置の数である第２閾値とに応じて、前記携帯端末装置の充電を許可する、
処理をコンピュータに実行させる充電制御プログラム。
【０１９１】
（付記１２）
携帯端末装置と、
前記携帯端末装置と通信可能な情報処理装置とを有し、
前記携帯端末装置は、自装置の電池残量を情報処理装置に送信し、
前記情報処理装置は、前記携帯端末装置から受信した前記電池残量と、前記携帯端末装置が充電すべき電池残量である第１閾値と、電池残量を前記第１閾値以上にすべき前記携帯端末装置の数である第２閾値とに応じて、前記携帯端末装置の充電を許可するための充電許可情報を前記携帯端末装置に送信し、
前記携帯端末装置は、前記情報処理装置から前記充電許可情報を受信すると、自装置の充電を開始する、
情報処理システム。
【符号の説明】
【０１９２】
１：管理サーバ                ２：充電装置
３：携帯端末装置              １００：情報処理装置
ＡＰ：アクセスポイント        ＮＷ：ネットワーク
【図１】
2016163516.tif 000003
【図２】
2016163516.tif 000004
【図３】
2016163516.tif 000005
【図４】
2016163516.tif 000006
【図５】
2016163516.tif 000007
【図６】
2016163516.tif 000008
【図７】
2016163516.tif 000009
【図８】
2016163516.tif 000010
【図９】
2016163516.tif 000011
【図１０】
2016163516.tif 000012
【図１１】
2016163516.tif 000013
【図１２】
2016163516.tif 000014
【図１３】
2016163516.tif 000015
【図１４】
2016163516.tif 000016
【図１５】
2016163516.tif 000017
【図１６】
2016163516.tif 000018
【図１７】
2016163516.tif 000019
【図１８】
2016163516.tif 000020
【図１９】
2016163516.tif 000021
【図２０】
2016163516.tif 000022
【図２１】
2016163516.tif 000023
【図２２】
2016163516.tif 000024
【図２３】
2016163516.tif 000025
【図２４】
2016163516.tif 000026
【図２５】
2016163516.tif 000027
【図２６】
2016163516.tif 000028
【図２７】
2016163516.tif 000029